(57)【要約】【課題】従来の毛髪処理促進装置では、フード内の温湿度が安定せず、処理時間も長くかかるという課題があり、毛髪への毛髪処理剤の浸透を促進するとともに被施術者の負担を軽くすることを目的とする。【解決手段】頭部に被るフード１と水を微細化する水微細化装置２を備え、水微細化装置２は、筒状のケース１６に吸水管１２と噴射ノズル１５の水破砕手段を収納している気液接触部３と気液分離手段４と吸込み口５と送風機６と吹出し口７を備え、前記フード１と前記吹出し口７を連通する通風路８を備えることにより、毛髪への毛髪処理剤の浸透をより促進する毛髪処理促進装置を得られる。【選択図】図１ 
2005137471.tif 000002
【特許請求の範囲】
【請求項１】
水を破砕し水微細化空気を発生させ、その発生した水微細化空気の雰囲気中で毛髪処理剤による毛髪処理後の毛髪後処理を行なうことを特徴とした毛髪処理促進方法。
【請求項２】
毛髪後処理を温度３８〜４０℃、湿度９０〜１００％ＲＨの雰囲気中で行なうことを特徴とした請求項１記載の毛髪処理促進方法。
【請求項３】
頭部に被るフードと水を微細化する水微細化装置を備え、前記水微細化装置は水を破砕する水破砕手段と前記水破砕手段により発生した微細水滴の気液を分離する気液分離手段と空気を吸引する吸込み口と前記吸込み口を経由して空気を前記水破砕手段に送風する送風機と前記気液分離手段により気液分離された空気を吹出す吹出し口を備え、前記フードと前記吹出し口を連通する通風路を備えた毛髪処理促進装置。
【請求項４】
フードとして通風路の下流側の先端にラッパ状吹出し口を備えたことを特徴とする請求項３記載の毛髪処理促進装置。
【請求項５】
温水を供給することを特徴とする請求項３または４記載の毛髪処理促進装置。
【請求項６】
通風路は断熱された屈曲自在の可撓管としたことを特徴とする請求項３乃至５のいずれかに記載の毛髪処理促進装置。
【請求項７】
通風路の下端部に可撓管内部に付着した結露水を排出する排水口を設けた請求項３乃至６のいずれかに記載の毛髪処理促進装置。
【請求項８】
通風路はフードから水微細化装置へ常に零または負の勾配を設けたことを特徴とする請求項３乃至７のいずれかに記載の毛髪処理促進装置。
【請求項９】
フードまたはラッパ状吹出し口に毛髪を加熱する加熱手段を設けた請求項３乃至８のいずれかに記載の毛髪処理促進装置。
【請求項１０】
フード内に吹出した空気、またはラッパ状吹出し口から吹出した空気を水微細化装置の吸込口に戻す、循環通風路を設けた請求項３乃至９のいずれかに記載の毛髪処理促進装置。
【請求項１１】
通風路内に通過空気を加熱する加熱手段を設けた請求項３乃至１０のいずれかに記載の毛髪処理促進装置。
【請求項１２】
水微細化装置に常温水または温水を供給する給水口と排水口を設けた請求項１１記載の毛髪処理促進装置。
【発明の詳細な説明】
【技術分野】
【０００１】
本発明は、美容院や理容院で使用される毛髪処理促進方法及び毛髪処理促進装置に関する。
【背景技術】
【０００２】
従来、パーマネントウェーブ、ヘアカラー、トリートメントなどの毛髪処理用の薬剤処理の効果、例えば、トリートメント効果を高め、かつその処理にかかる時間を短縮するための手段として、スチーム・温ミスト等（以下湿熱という）や赤外線ヒータやランプなど（以下乾熱という）を利用して毛髪を加温処理する方法が用いられている。
【０００３】
トリートメント等を湿熱で処理する場合には、所定の薬剤を塗布した頭髪をヘアキャップあるいはフード等で覆い、ヘアキャップやフード内にスチームや超音波振動子で発生させた温ミストを充満させるなど、主にスチームや温ミストの対流伝熱によって加温する方法が用いられている。
【０００４】
なお、本願発明と関連性を有する技術の蓄積がなく、記載すべき先行技術文献情報はない。
【０００５】
但し、水微細化技術については例えば、以下の特許文献１がある。
【特許文献１】特開平４−１４１１７９号公報
【発明の開示】
【発明が解決しようとする課題】
【０００６】
このような従来の毛髪処理促進装置では、フード内の温湿度が安定せず、処理時間も長くかかるという課題があり、毛髪への毛髪処理剤の浸透を促進するとともに被施術者の負担を軽くすることが要求されている。
【０００７】
また、装置が大きく重いと移動が困難という課題があり、移動を簡単にすることが要求されている。
【０００８】
また、パーマ時には、ドライヤ機能を持つ別の装置が必要であるという課題があり、乾熱、湿熱、両方の処理ができる装置の開発が要求されている。
【０００９】
本発明は、このような従来の課題を解決するものであり、毛髪処理剤の毛髪への浸透を促進することができる方法、また、簡単に移動することのでき、乾熱、湿熱両方の機能を持つ毛髪処理促進装置を提供することを目的としている。
【課題を解決するための手段】
【００１０】
本発明の毛髪処理促進方法は上記目的を達成するために、水を破砕し水微細化空気を発生させ、その発生した水微細化空気の雰囲気中で毛髪処理剤による毛髪処理後の毛髪後処理を行なうものである。
【００１１】
この手段により毛髪への毛髪処理剤の浸透を促進できる毛髪処理促進方法が得られる。
【００１２】
また他の手段は、毛髪処理剤による毛髪処理後の毛髪後処理を温度３８〜４０℃、湿度９０％ＲＨの雰囲気中で行なうものである。
【００１３】
これにより毛髪を膨潤することができ、毛髪への毛髪処理剤の浸透をより促進する方法が得られる。
【００１４】
また他の手段は、頭部に被るフードと水を微細化する水微細化装置を備え、前記水微細化装置は水を破砕する水破砕手段と前記水破砕手段により発生した微細水滴の気液を分離する気液分離手段と空気を吸引する吸込み口と前記吸込み口を経由して空気を前記水破砕手段に送風する送風機と前記気液分離手段により気液分離された空気を吹出す吹出し口を備え、前記フードと前記吹出し口を連通する通風路を備えたものである。
【００１５】
この手段により、フード内の温湿度を安定させることができ、また、毛髪への毛髪処理剤の浸透を促進できる毛髪処理促進装置が得られる。
【００１６】
また他の手段は、フードとして通風路の下流側の先端にラッパ状吹出し口を備えたものである。
【００１７】
この手段により、頭部の位置に制約を受けず、束縛感のない毛髪処理促進装置が得られる。
【００１８】
また他の手段は、給湯配管等を利用し、吸水管に直接温水を供給するものである。
【００１９】
この手段により、水タンクとポンプ、及び加熱手段が不要となり、小型軽量で、移動が容易な毛髪処理促進装置が得られる。
【００２０】
また他の手段は、通風路は断熱された屈曲自在の可撓管としたものである。
【００２１】
この手段により、通風路内での結露が少なく、移動が容易な毛髪処理促進装置が得られる。
【００２２】
また他の手段は、通風路の下端部に可撓管内部に付着した結露水を排出する排水口を設けたものである。
【００２３】
この手段により、通風路内での結露水の排出が容易な毛髪処理促進装置が得られる。
【００２４】
また他の手段は、通風路はフードから水微細化装置へ常に零または負の勾配を設けたものである。
【００２５】
この手段により、通風路内での結露水は水微細化装置へ落とすことができる毛髪処理促進装置が得られる。
【００２６】
また他の手段は、フードまたはラッパ状吹出し口に毛髪を加熱する加熱手段を設けたものである。
【００２７】
この手段により、赤外放射による毛髪に付着した水滴の活性化が図られ、毛髪への毛髪処理剤の浸透を促進できる毛髪処理促進装置が得られる。
【００２８】
また他の手段は、フード内に吹出した空気、またはラッパ状吹出し口から吹出した空気を水微細化装置の吸込口に戻す、循環通風路を設けたものである。
【００２９】
この手段により、フード内に吹出した空気、またはラッパ状吹出し口から吹出した空気の持つ熱エネルギーを回収できる毛髪処理促進装置が得られる。
【００３０】
また他の手段は、通風路内に通過空気を加熱する加熱手段を設けたものである。
【００３１】
この手段により、通風路内を通過する空気は高温低湿となり、ドライヤー機能を付加できる毛髪処理促進装置が得られる。
【００３２】
また他の手段は、水微細化装置に常温水または温水を供給する給水口と排水口を設けたものである。
【００３３】
４この手段により、常温水を供給し、通風路内の加熱手段で加熱することにより、ドライヤー機能を付加できる毛髪処理促進装置が得られる。
【発明の効果】
【００３４】
本発明によれば毛髪処理剤を短時間で毛髪へ浸透させるという効果のある毛髪処理促進方法及び装置を提供できる。
【００３５】
また、毛髪処理促進とともに乾燥もできる効果のある毛髪処理促進装置を提供できる。
【発明を実施するための最良の形態】
【００３６】
本発明の請求項１記載の発明は、水を破砕し水微細化空気を発生させ、その発生した水微細化空気の雰囲気中で毛髪処理剤による毛髪処理後の毛髪後処理を行なうものであり、供給する温水温度により、水微細化空気の温湿度が決まるため、フード内の温湿度を安定させるとともに、水微細化空気が含む微細水滴の効果により毛髪処理剤の毛髪への浸透を促進する（推定）という作用を有する。
【００３７】
また、タンク、ヒータ、ポンプの代わりに、温水を供給する給湯口を設けたものであり、水微細化装置を小さく軽くすることができる。
【００３８】
また、フードまたはラッパ状吹出し口に毛髪を加熱する加熱手段を設けたものであり、赤外放射により毛髪に付着した水滴を活性化するという作用を有する。
【００３９】
以下、本発明の実施の形態について図面を参照しながら説明する。
【００４０】
（実施の形態１）
図１に示すように、水微細化装置２は、気液接触部３と気液分離手段４と吸込み口５と送風機６と吹出し口７を備え、通風路８によりフード１とつながっている。気液接触部３は筒状のケース１６に、吸水管１２と噴射ノズル１５の水破砕手段を収納している。
【００４１】
上記構成において、まず水タンク９に所定量の注水を行い、加熱手段としてのヒータ１１に通電する。所定の水温に達すると、次にポンプ１０を起動するとともに、送風機６によって吸込み口５から空気を吸引し、導入口１３を通り、気液接触部３へ送風する。送風空気が気液接触部３を上から下へ螺旋状に回転しながら下降する間、ポンプ１０により吸水管１２に吸い上げられた水が、噴射ノズル１５から外周壁のケース１６に向けて放出され衝突破砕する。このとき送風空気は空気中の微粒子、ガスの除去及び熱交換、加湿が行われ、マイナスイオンを含んだ高湿度空気となる。マイナスイオン発生の原理はレナード現象として知られており、微細な水滴はマイナスに、大きな水滴はプラスに帯電すると言われている。気液接触部３の下部まで下降した高湿度空気は、連通管１４を経て気液分離手段４のところでプラスに帯電した大きな水滴が気液分離され、微細な水滴とマイナスイオンを含んだ水微細化空気となる。また、大きな水滴は水タンク９に戻される。そして加温加湿された水微細化空気はマイナスイオンとともに吹出し口７から通風路８を経てフード１に送り込まれる。
【００４２】
フード１内には毛髪処理剤により処理した被施術者の頭部が挿入されており、加温加湿された水微細化空気により、毛髪処理剤の毛髪への浸透が促進される。
【００４３】
毛髪処理剤の一つであるトリートメント剤の毛髪への浸透促進には、温度約４０℃でほぼ１００％の相対湿度が最適とされており、水微細化装置での実測では、図２のようにフード内の温湿度は安定している。図３は従来のスチーマ（スチーム方式）の実測で、温湿度の安定性の良さは明らかである。
【００４４】
温度３８〜４０℃の根拠については、４０℃以上では、不快な熱さを感じ、毛髪の膨潤には体温より少し高めが必要で、３８℃〜が最適と推定される。湿度９０〜１００％ＲＨについては、温度の変化により相対湿度も変化するので、温度が３８℃から４０℃に変化した場合を想定し、３８℃１００％と絶対湿度で等しい４０℃の相対湿度を計算し、９０％が算出された。
【００４５】
また、上記実測時に、フード内に毛束を30分間置き、その前後で毛束の重量変化を測定した。その結果が図４（Ｖｉｒｇｉｎ：標準毛）及び図５（Ｂｌｅｅｃｈ：染色毛）で、どちらも水微細化空気の方が、水分吸収量は多くなっている。その原因は、微細水滴効果と考えられ、トリートメント剤の浸透もより促進されると推定される。
【００４６】
なお、実施の形態１では、水破砕手段にノズル噴射式を用いたが、回転噴霧式を用いてもよく、その作用効果に差異を生じない。
【００４７】
また、通風路８は可撓管とし、フード１と水微細化装置２の配置に柔軟に対応できるとともに、発泡ポリエチレン等の断熱材で被覆することにより、通風路８内の結露を抑制できる（図示なし）。
【００４８】
また、図１のように、通風路８に、フード１から水微細化装置２へ常に零または負の勾配をつけることにより、通風路８の可撓管内部に付着した結露水は、重力に従い、水微細化装置２へ流れ込み、通風路８内の結露水の溜りを防ぐことができる。
【００４９】
（実施の形態２）
実施の形態１と同一部分については同一番号を付し詳細な説明は省略する。
【００５０】
図６は、図１においてフード１の代わりにラッパ状吹出し口１７を用いたものである。
【００５１】
上記構成において、被施術者の頭部位置の自由度が増し、フードの圧迫感もなく、毛髪の後処理を快適に行なうことができる。
【００５２】
（実施の形態３）
実施の形態１及び２と同一部分については同一番号を付し詳細な説明は省略する。
【００５３】
図７は、図１において水タンク９とポンプ１０、加熱手段１１の代わりに温水を供給する給湯口１８と排水口１９を備えたものである。
【００５４】
上記構成において、給湯口１８から吸水管１２を経て噴射ノズル１５に温水を供給でき、噴射し落下した水は排水口１９から排出される。このように水タンク９とポンプ１０、加熱手段１１をなくした水微細化装置２は小型軽量となり、移動が容易な毛髪処理促進装置が得られる。
【００５５】
（実施の形態４）
実施の形態１乃至３と同一部分については同一番号を付し詳細な説明は省略する。
【００５６】
図８は、通風路８の最下端に結露排水口２０を備えたものである。
【００５７】
上記構成において、通風路８の可撓管内部に付着した結露水は、重力に従い、最下端の結露排水口２０に流れ込み、排水ホース２１により水微細化装置２の水タンク９へ排出される。
【００５８】
なお、排水溝が近くにある場合は、排水は直接排水溝に行ってもよい。
【００５９】
（実施の形態５）
実施の形態１乃至４と同一部分については同一番号を付し詳細な説明は省略する。
【００６０】
図９は、フード１の内部に毛髪を加熱する加熱手段として赤外線ヒータ２２を備えたものである。
【００６１】
上記構成において、水微細化装置２による毛髪後処理時に、赤外線ヒータ２２に通電することにより、赤外放射による毛髪に付着した水滴の活性化が図られ、毛髪への毛髪処理剤の浸透を促進できる。
【００６２】
（実施の形態６）
実施の形態１乃至５と同一部分については同一番号を付し詳細な説明は省略する。
【００６３】
図１０は、フード１の内部で、通風路８からの送風空気供給口の対角側に戻り口２３を設け、その戻り口２３から水微細化装置２の吸込み口４に送風空気を戻す循環通風路２４を備えたものである。
【００６４】
上記構成において、水微細化装置２からの加温・加湿された水微細化空気はフード１に充満し、毛髪処理剤等の毛髪への浸透促進を図る。と同時にフード１の戻り口２３に吸込まれた空気は、循環通風路２４を通り、水微細化装置２の吸込み口４から装置内に吸込まれる。その吸込まれる空気は、フード１内の空気と比べると温度低下は有るが、室温よりは高いため、水タンク９内のヒータ１１の通電量を少なくできる。
【００６５】
（実施の形態７）
実施の形態１乃至６と同一部分については同一番号を付し詳細な説明は省略する。
【００６６】
図１１は、通風路８の内部に通過空気を加熱する加熱手段としてヒータ２５を備えたものである。
【００６７】
上記構成において、水タンク９内のヒータ１１には通電せず、水微細化装置２を運転する。吹出し口７からは室温よりやや低温で高湿のマイナスイオンを含んだ空気が通風路８に送られる。通風路８内を通過する空気は、途中ヒータ２５で加熱され、高温低湿のマイナスイオンを含んだ空気となり、フード１はマイナスイオン付きドライヤーの機能も合わせ持つことができる。
【００６８】
また、水タンク９とポンプ１０、加熱手段１１の代わりに常温水（通常の水道水や井水）または温水を供給する給水口を備えたものでは、実施の形態３と同様の作用効果があるとともに、常温水供給時にはマイナスイオン付きドライヤーの機能も合わせ持つことができる（図示なし）。
【産業上の利用可能性】
【００６９】
本発明にかかる毛髪処理促進装置は、温湿度制御の安定性と微細水滴効果を有し、美容院等での毛髪処理及びスキンケアなど、あるいは植物や食品保存、衣類の洗濯乾燥などの用途にも適用できる。
【図面の簡単な説明】
【００７０】
【図１】本発明の実施の形態１の構造を示す垂直断面図
【図２】同フード内の温湿度変化図
【図３】従来例のフード内の温湿度変化図
【図４】フード内の毛束（Ｖｉｒｇｉｎ）重量変化図
【図５】フード内の毛束（Ｂｌｅｅｃｈ）重量変化図
【図６】同実施の形態２の構造を示す垂直断面図
【図７】同実施の形態３の構造を示す垂直断面図
【図８】同実施の形態４の構造を示す垂直断面図
【図９】同実施の形態５の構造を示す垂直断面図
【図１０】同実施の形態６の構造を示す垂直断面図
【図１１】同実施の形態７の構造を示す垂直断面図
【符号の説明】
【００７１】
１  フード
２  水微細化装置
３  気液接触部
４  気液分離手段
５  吸込み口
６  送風機
７  吹出し口
８  通風路
９  水タンク
１０  ポンプ
１１  ヒータ
１２  吸水管
１３  導入口
１４  連通管
１５  噴射ノズル
１６  ケース
１７  ラッパ状吹出し口
１８  給湯口
１９  排水口
２０  結露排水くち
２１  排水ホース
２２  赤外線ヒータ
２３  戻り口
２４  循環通風路
２５  ヒータ
【図１】
2005137471.tif 000003
【図２】
2005137471.tif 000004
【図３】
2005137471.tif 000005
【図４】
2005137471.tif 000006
【図５】
2005137471.tif 000007
【図６】
2005137471.tif 000008
【図７】
2005137471.tif 000009
【図８】
2005137471.tif 000010
【図９】
2005137471.tif 000011
【図１０】
2005137471.tif 000012
【図１１】
2005137471.tif 000013